(57)【要約】    【課題】光−無線融合通信システムにおける無線加入者端末の構成を安価かつ簡易にできる光送信器を提供すること。    【解決手段】第１の電気発振器６で発生した無線信号の周波数の半値に等しい周波数を有する電気搬送波信号を用いて、第１の光変調器４により単一スペクトル光源３からの出力光に搬送波抑圧両側波帯光変調を施し、第２の電気発振器７で発生した任意の中間周波数信号の周波数の半値に等しい周波数を有する電気搬送波信号を、入力されたＭ個の値を取り得る電気ディジタル信号ｍ（ｍ＝１，２，…，Ｍ）にて電気位相変調器８で位相変調した電気位相変調信号を用いて、第２の光変調器５により第１の光変調器４からの出力光に搬送波抑圧両側波帯光変調を施す。【選択図】図５
2005073065.tif 000002
【特許請求の範囲】
【請求項１】
無線基地局に所望の無線信号を光信号で送信する光送信器において、
単一スペクトルの光信号を発生する単一スペクトル光源と、
前記無線信号の周波数の半値に等しい周波数を有する電気搬送波信号を発生する第１の電気発振器と、
任意の中間周波数信号の周波数の半値に等しい周波数を有する電気搬送波信号を発生する第２の電気発振器と、
第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、
前記単一スペクトル光源から出力された光信号に対し、第１の電気発振器よりの電気搬送波信号にて搬送波抑圧両側波帯光変調を施す第１の光変調器と、
前記第１の光変調器から出力された光信号に対し、電気位相変調器よりの電気位相変調信号にて搬送波抑圧両側波帯光変調を施す第２の光変調器とを備えた
ことを特徴とする光送信器。
【請求項２】
無線基地局に所望の無線信号を光信号で送信する光送信器において、
単一スペクトルの光信号を発生する単一スペクトル光源と、
前記無線信号の周波数の半値に等しい周波数を有する電気搬送波信号を発生する第１の電気発振器と、
任意の中間周波数信号の周波数の半値に等しい周波数を有する電気搬送波信号を発生する第２の電気発振器と、
第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、
前記単一スペクトル光源から出力された光信号に対し、電気位相変調器よりの電気位相変調信号にて搬送波抑圧両側波帯光変調を施す第１の光変調器と、
前記第１の光変調器から出力された光信号に対し、第１の電気発振器よりの電気搬送波信号にて搬送波抑圧両側波帯光変調を施す第２の光変調器とを備えた
ことを特徴とする光送信器。
【請求項３】
無線基地局に所望の無線信号を光信号で送信する光送信器において、
単一スペクトルの光信号を発生する単一スペクトル光源と、
前記無線信号の周波数の半値に等しい周波数を有する電気搬送波信号を発生する第１の電気発振器と、
前記無線信号の周波数と任意の中間周波数信号の周波数との差の半値に等しい周波数を有する電気搬送波信号を発生する第２の電気発振器と、
第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、
前記単一スペクトル光源から出力された光信号に対し、第１の電気発振器よりの電気搬送波信号にて搬送波抑圧両側波帯光変調を施す第１の光変調器と、
前記第１の光変調器から出力された光信号に対し、電気位相変調器よりの電気位相変調信号にて搬送波抑圧両側波帯光変調を施す第２の光変調器とを備えた
ことを特徴とする光送信器。
【請求項４】
無線基地局に所望の無線信号を光信号で送信する光送信器において、
単一スペクトルの光信号を発生する単一スペクトル光源と、
前記無線信号の周波数の半値に等しい周波数を有する電気搬送波信号を発生する第１の電気発振器と、
前記無線信号の周波数と任意の中間周波数信号の周波数との差の半値に等しい周波数を有する電気搬送波信号を発生する第２の電気発振器と、
第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、
前記単一スペクトル光源から出力された光信号に対し、電気位相変調器よりの電気位相変調信号にて搬送波抑圧両側波帯光変調を施す第１の光変調器と、
前記第１の光変調器から出力された光信号に対し、第１の電気発振器よりの電気搬送波信号にて搬送波抑圧両側波帯光変調を施す第２の光変調器とを備えた
ことを特徴とする光送信器。
【請求項５】
無線基地局に所望の無線信号を光信号で送信する光送信器において、
単一スペクトルの光信号を発生する単一スペクトル光源と、
前記無線信号の周波数と任意の中間周波数信号の周波数との差の半値に等しい周波数を有する電気搬送波信号を発生する第１の電気発振器と、
前記無線信号の周波数の半値に等しい周波数を有する電気搬送波信号を発生する第２の電気発振器と、
第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、
前記単一スペクトル光源から出力された光信号に対し、第１の電気発振器よりの電気搬送波信号にて搬送波抑圧両側波帯光変調を施す第１の光変調器と、
前記第１の光変調器から出力された光信号に対し、電気位相変調器よりの電気位相変調信号にて搬送波抑圧両側波帯光変調を施す第２の光変調器とを備えた
ことを特徴とする光送信器。
【請求項６】
無線基地局に所望の無線信号を光信号で送信する光送信器において、
単一スペクトルの光信号を発生する単一スペクトル光源と、
前記無線信号の周波数と任意の中間周波数信号の周波数との差の半値に等しい周波数を有する電気搬送波信号を発生する第１の電気発振器と、
前記無線信号の周波数の半値に等しい周波数を有する電気搬送波信号を発生する第２の電気発振器と、
第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、
前記単一スペクトル光源から出力された光信号に対し、電気位相変調器よりの電気位相変調信号にて搬送波抑圧両側波帯光変調を施す第１の光変調器と、
前記第１の光変調器から出力された光信号に対し、第１の電気発振器よりの電気搬送波信号にて搬送波抑圧両側波帯光変調を施す第２の光変調器とを備えた
ことを特徴とする光送信器。
【発明の詳細な説明】
【技術分野】
【０００１】
本発明は、広帯域信号光を利用した光−無線融合通信システムにおける光送信器、特に無線基地局に所望の無線信号を光信号で送信する光送信器に関する。
【背景技術】
【０００２】
図１、図２、図３はそれぞれ従来の光−無線融合通信システムにおける光送信器、無線基地局、無線加入者端末の一例を示したものであり、図４は従来の光−無線融合通信システムにおける電気周波数及び光周波数のスペクトルの一例を示したものである。
【０００３】
光送信器１０１により光信号（１ｅ）が光伝送路を経て無線基地局１０７へ伝送される。ここで、電気発振器１０６からの出力信号が無線信号の周波数の半値に等しい周波数の電気搬送波信号（１ｃ）となるようにし、この出力電気搬送波信号（１ｃ）に対して、電気位相変調器１０６で入力端子１０２に入力されたＭ個の値を取り得るディジタル信号（１ａ）を基に電気ディジタル信号（ｍ＋１）に対する出力電気位相変調信号（１ｄ）の位相と、電気ディジタル信号ｍに対する出力電気位相変調信号（１ｄ）の位相との位相差がπ／Ｍとなるように位相変調を施す。さらに、単一スペクトル光源１０３の出力光（１ｂ）に対して光変調器１０４で電気位相変調信号（１ｄ）を基に搬送波抑圧両側波帯光変調を施して送信する。
【０００４】
無線基地局１０７においては、このような光信号（１ｅ）を１つの受光素子１０８で同時に自乗検波することにより差周波数成分（１ｆ）が得られ、必要に応じて増幅した後にアンテナ１０９から電波として送出することで、ミリ波帯の電気信号を直接伝送せず、また無線基地局にミリ波帯の電気発振器を用意することなくミリ波帯無線信号を伝送することが可能となる。
【０００５】
ここで、伝送する光信号（１ｅ）の電界Ｅoptは次の数式で表すことできる。
【０００６】
Ｅopt＝Ａｃｏｓ｛２π（ｆc＋ｆRF／２）ｔ＋φm＋φ（ｔ）｝
＋Ａｃｏｓ｛２π（ｆc−ｆRF／２）ｔ−φm＋φ（ｔ）｝  ……（１）
但し、ここで、Ａは電界振幅、ｆcは光周波数、ｆRFは無線信号周波数、ｍはＭ値（Ｍは２のｎ乗（ｎは自然数）であり、Ｍ値信号はｎビットの信号である）の入力ディジタル信号（ｍ＝１，２，…，Ｍ）、φ（ｔ）は単一スペクトル光源の位相雑音を表し、φmはφ＝φm+1−φm＝π／Ｍを満たすものとする。
【０００７】
この光信号（１ｅ）を受光素子で自乗検波して得られる信号（１ｆ）の電界ＥRFは次の数式で表すことができる。
【０００８】
ＥRF∝Ａ2ｃｏｓ（２πｆRFｔ＋２φm）                          ……（２）
（２）式においては、（１）式の光信号電界において存在していた単一スペクトル光源の位相雑音成分が相殺されており、周波数安定性の高い無線信号が得られることとなる。また、無線信号として、入力端子１０２に入力された電気ディジタル信号のＭ値の信号に対する位相差φ’（＝２φm+1−２φm）が２π／Ｍとなる位相変調信号が得られることとなる。
【０００９】
前記無線基地局１０７から送出された電波（１ｆ）を受信する無線加入者端末１１０においては、アンテナ１１１で受信した無線信号（１ｆ）と、電気発振器１１２から出力された無線信号の周波数より中間周波数信号の周波数の分だけ高い周波数を有する電気搬送波信号（１ｇ）とを乗算器１１３に入力し、乗算器１１３の出力をフィルタ１１４に通すことで、中間周波数信号として、入力端子１０２に入力された電気ディジタル信号のＭ値の信号に対する位相差φ’（＝２φm+1−２φm）が２π／Ｍとなる位相変調信号（１ｉ）を得る。この時の検波のＳＮ特性は最適である（例えば、非特許文献１参照）。
【非特許文献１】小関泰之、岸眞人、土屋昌弘、「マッハツェンダー型光変調器による６０ＧＨｚ帯２モード光ミリ波ＰＳＫ信号生成法」、電子情報通信学会２００１年総合大会講演論文集、社団法人電子情報通信学会、２００１年３月７日、Ｂ−５−２６１
【発明の開示】
【発明が解決しようとする課題】
【００１０】
図１、図２、図３及び図４に挙げた従来例の場合は、各無線加入者端末において、中間周波数信号を得るため、局部発振器として電気発振器を用意する必要がある。広帯域信号を伝送する場合は、広い信号帯域が確保できるミリ波帯を用いることが予想されるが、ミリ波帯の電気発振器は高価である他、発振器の出力信号の周波数安定度を向上させるために構成が複雑になる。
【００１１】
本発明は、このような背景に行われたものであって、無線加入者端末の構成を安価かつ簡易にできる光送信器を提供することを目的とする。
【課題を解決するための手段】
【００１２】
本発明では、前記目的を達成するため、請求項１では、無線基地局に所望の無線信号を光信号で送信する光送信器において、単一スペクトルの光信号を発生する単一スペクトル光源と、前記無線信号の周波数の半値に等しい周波数を有する電気搬送波信号を発生する第１の電気発振器と、任意の中間周波数信号の周波数の半値に等しい周波数を有する電気搬送波信号を発生する第２の電気発振器と、第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、前記単一スペクトル光源から出力された光信号に対し、第１の電気発振器よりの電気搬送波信号にて搬送波抑圧両側波帯光変調を施す第１の光変調器と、前記第１の光変調器から出力された光信号に対し、電気位相変調器よりの電気位相変調信号にて搬送波抑圧両側波帯光変調を施す第２の光変調器とを備えたことを特徴とする光送信器をもって解決手段とする。
【００１３】
また、請求項２では、無線基地局に所望の無線信号を光信号で送信する光送信器において、単一スペクトルの光信号を発生する単一スペクトル光源と、前記無線信号の周波数の半値に等しい周波数を有する電気搬送波信号を発生する第１の電気発振器と、任意の中間周波数信号の周波数の半値に等しい周波数を有する電気搬送波信号を発生する第２の電気発振器と、第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、前記単一スペクトル光源から出力された光信号に対し、電気位相変調器よりの電気位相変調信号にて搬送波抑圧両側波帯光変調を施す第１の光変調器と、前記第１の光変調器から出力された光信号に対し、第１の電気発振器よりの電気搬送波信号にて搬送波抑圧両側波帯光変調を施す第２の光変調器とを備えたことを特徴とする光送信器をもって解決手段とする。
【００１４】
請求項１及び２の発明によれば、光送信器から４つの光信号を送信することで、無線基地局の受光素子の出力として、所望の無線信号周波数帯において周波数間隔がそれぞれ中間周波数信号の周波数分だけ異なる３波の無線信号を得ることができる。
【００１５】
請求項１及び２の発明において、伝送する光信号の電界Ｅoptは次式のように表すことができる。
【００１６】
Ｅopt＝Ａｃｏｓ｛２π（ｆc＋ｆRF／２＋ｆIF／２）ｔ＋φm＋φ（ｔ）｝
＋Ａｃｏｓ｛２π（ｆc＋ｆRF／２−ｆIF／２）ｔ−φm＋φ（ｔ）｝
＋Ａｃｏｓ｛２π（ｆc−ｆRF／２＋ｆIF／２）ｔ＋φm＋φ（ｔ）｝
＋Ａｃｏｓ｛２π（ｆc−ｆRF／２−ｆIF／２）ｔ−φm＋φ（ｔ）｝
……（３）
但し、ここで、Ａは電界振幅、ｆcは光周波数、ｆRFは無線信号周波数、ｆIFは中間周波数、ｍはＭ値（Ｍは２のｎ乗（ｎは自然数）であり、Ｍ値信号はｎビットの信号である）の入力ディジタル信号（ｍ＝１，２，…，Ｍ）、φ（ｔ）は単一スペクトル光源の位相雑音を表し、φmはφ＝φm+1−φm＝π／Ｍを満たすものとする。
【００１７】
この光信号を受光素子で自乗検波して得られる無線信号の電界ＥRFは次式のように表すことができる。
【００１８】
ＥRF∝Ａ2ｃｏｓ｛２π（ｆRF＋ｆIF）ｔ＋２φm｝
＋２Ａ2ｃｏｓ｛２πｆRFｔ｝
＋Ａ2ｃｏｓ｛２π（ｆRF−ｆIF）ｔ−２φm｝              ……（４）
無線加入者端末では、これらの高周波無線信号電波をアンテナで受信した後、ダイオードなどの非線形素子により自乗検波し、フィルタを通すことで、局部発振器、つまり無線信号の周波数帯の電気発振器を用意することなく、中間周波数信号として、入力された電気ディジタル信号のＭ値の信号に対する位相差φ’（＝２φm+1−２φm）が２π／Ｍとなる低周波数帯の電気位相信号を得ることができる。
【００１９】
中間周波数帯信号の電界ＥIFは次式のように表すことができる。
【００２０】
ＥIF∝４Ａ4ｃｏｓ｛２πｆIFｔ＋２φm｝                        ……（５）
また、請求項３では、無線基地局に所望の無線信号を光信号で送信する光送信器において、単一スペクトルの光信号を発生する単一スペクトル光源と、前記無線信号の周波数の半値に等しい周波数を有する電気搬送波信号を発生する第１の電気発振器と、前記無線信号の周波数と任意の中間周波数信号の周波数との差の半値に等しい周波数を有する電気搬送波信号を発生する第２の電気発振器と、第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、前記単一スペクトル光源から出力された光信号に対し、第１の電気発振器よりの電気搬送波信号にて搬送波抑圧両側波帯光変調を施す第１の光変調器と、前記第１の光変調器から出力された光信号に対し、電気位相変調器よりの電気位相変調信号にて搬送波抑圧両側波帯光変調を施す第２の光変調器とを備えたことを特徴とする光送信器をもって解決手段とする。
【００２１】
また、請求項４では、無線基地局に所望の無線信号を光信号で送信する光送信器において、単一スペクトルの光信号を発生する単一スペクトル光源と、前記無線信号の周波数の半値に等しい周波数を有する電気搬送波信号を発生する第１の電気発振器と、前記無線信号の周波数と任意の中間周波数信号の周波数との差の半値に等しい周波数を有する電気搬送波信号を発生する第２の電気発振器と、第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、前記単一スペクトル光源から出力された光信号に対し、電気位相変調器よりの電気位相変調信号にて搬送波抑圧両側波帯光変調を施す第１の光変調器と、前記第１の光変調器から出力された光信号に対し、第１の電気発振器よりの電気搬送波信号にて搬送波抑圧両側波帯光変調を施す第２の光変調器とを備えたことを特徴とする光送信器をもって解決手段とする。
【００２２】
請求項３及び４の発明によれば、光送信器から４つの光信号を送信することで、無線基地局の受光素子の出力として、所望の無線信号周波数帯において周波数間隔が中間周波数信号の周波数分だけ異なる２波の無線信号を得ることができる。
【００２３】
請求項３及び４の発明において、伝送する光信号の電界Ｅoptは次式のように表すことができる。
【００２４】
Ｅopt＝Ａｃｏｓ｛２π（ｆc＋ｆRF−ｆIF／２）ｔ＋φm＋φ（ｔ）｝
＋Ａｃｏｓ｛２π（ｆc＋ｆIF／２）ｔ−φm＋φ（ｔ）｝
＋Ａｃｏｓ｛２π（ｆc−ｆIF／２）ｔ＋φm＋φ（ｔ）｝
＋Ａｃｏｓ｛２π（ｆc−ｆRF＋ｆIF／２）ｔ−φm＋φ（ｔ）｝
……（６）
但し、ここで、Ａは電界振幅、ｆcは光周波数、ｆRFは無線信号周波数、ｆIFは中間周波数、ｍはＭ値（Ｍは２のｎ乗（ｎは自然数）であり、Ｍ値信号はｎビットの信号である）の入力ディジタル信号（ｍ＝１，２，…，Ｍ）、φ（ｔ）は単一スペクトル光源の位相雑音を表し、φmはφ＝φm+1−φm＝π／Ｍを満たすものとする。
【００２５】
この光信号を受光素子で自乗検波して得られる無線信号の電界ＥRFは次式のように表すことができる。
【００２６】
ＥRF∝２Ａ2ｃｏｓ｛２πｆRFｔ｝＋２Ａ2ｃｏｓ｛２π（ｆRF−ｆIF）ｔ＋２φm｝
……（７）
無線加入者端末では、これらの高周波無線信号電波をアンテナで受信した後、ダイオードなどの非線形素子により自乗検波し、フィルタを通すことで、局部発振器、つまり無線信号の周波数帯の電気発振器を用意することなく、中間周波数信号として、入力された電気ディジタル信号のＭ値の信号に対する位相差φ’（＝２φm+1−２φm）が２π／Ｍとなる低周波数帯の電気位相信号を得ることができる。
【００２７】
中間周波数帯信号の電界ＥIFは次式のように表すことができる。
【００２８】
ＥIF∝４Ａ4ｃｏｓ｛２πｆIFｔ−２φm｝                        ……（８）
また、請求項５では、無線基地局に所望の無線信号を光信号で送信する光送信器において、単一スペクトルの光信号を発生する単一スペクトル光源と、前記無線信号の周波数と任意の中間周波数信号の周波数との差の半値に等しい周波数を有する電気搬送波信号を発生する第１の電気発振器と、前記無線信号の周波数の半値に等しい周波数を有する電気搬送波信号を発生する第２の電気発振器と、第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、前記単一スペクトル光源から出力された光信号に対し、第１の電気発振器よりの電気搬送波信号にて搬送波抑圧両側波帯光変調を施す第１の光変調器と、前記第１の光変調器から出力された光信号に対し、電気位相変調器よりの電気位相変調信号にて搬送波抑圧両側波帯光変調を施す第２の光変調器とを備えたことを特徴とする光送信器をもって解決手段とする。
【００２９】
また、請求項６では、無線基地局に所望の無線信号を光信号で送信する光送信器において、単一スペクトルの光信号を発生する単一スペクトル光源と、前記無線信号の周波数と任意の中間周波数信号の周波数との差の半値に等しい周波数を有する電気搬送波信号を発生する第１の電気発振器と、前記無線信号の周波数の半値に等しい周波数を有する電気搬送波信号を発生する第２の電気発振器と、第２の電気発振器から出力された電気搬送波信号に対し、入力されたＭ個の値を取り得る電気ディジタル信号ｍ（ｍ＝１，２，…，Ｍ）にて位相変調を施して電気位相変調信号を出力する電気位相変調器であって、電気ディジタル信号（ｍ＋１）に対する出力電気位相変調信号の位相と、電気ディジタル信号ｍに対する出力電気位相変調信号の位相との位相差がπ／Ｍとなるような位相変調を施す電気位相変調器と、前記単一スペクトル光源から出力された光信号に対し、電気位相変調器よりの電気位相変調信号にて搬送波抑圧両側波帯光変調を施す第１の光変調器と、前記第１の光変調器から出力された光信号に対し、第１の電気発振器よりの電気搬送波信号にて搬送波抑圧両側波帯光変調を施す第２の光変調器とを備えたことを特徴とする光送信器をもって解決手段とする。
【００３０】
請求項５及び６の発明によれば、光送信器から４つの光信号を送信することで、無線基地局の受光素子の出力として、所望の無線信号周波数帯において周波数間隔が中間周波数信号の周波数分だけ異なる２波の無線信号を得ることができる。
【００３１】
請求項５及び６の発明において、伝送する光信号の電界Ｅoptは次式のように表すことができる。
【００３２】
Ｅopt＝Ａｃｏｓ｛２π（ｆc＋ｆRF−ｆIF／２）ｔ＋φm＋φ（ｔ）｝
＋Ａｃｏｓ｛２π（ｆc＋ｆIF／２）ｔ＋φm＋φ（ｔ）｝
＋Ａｃｏｓ｛２π（ｆc−ｆIF／２）ｔ−φm＋φ（ｔ）｝
＋Ａｃｏｓ｛２π（ｆc−ｆRF＋ｆIF／２）ｔ−φm＋φ（ｔ）｝
……（９）
但し、ここで、Ａは電界振幅、ｆcは光周波数、ｆRFは無線信号周波数、ｆIFは中間周波数、ｍはＭ値（Ｍは２のｎ乗（ｎは自然数）であり、Ｍ値信号はｎビットの信号である）の入力ディジタル信号（ｍ＝１，２，…，Ｍ）、φ（ｔ）は単一スペクトル光源の位相雑音を表し、φmはφ＝φm+1−φm＝π／Ｍを満たすものとする。
【００３３】
この光信号を受光素子で自乗検波して得られる無線信号の電界ＥRFは次式のように表すことができる。
【００３４】
ＥRF∝２Ａ2ｃｏｓ｛２πｆRFｔ＋２φm｝＋２Ａ2ｃｏｓ｛２π（ｆRF−ｆIF）ｔ｝
……（１０）
無線加入者端末では、これらの高周波無線信号電波をアンテナで受信した後、ダイオードなどの非線形素子により自乗検波し、フィルタを通すことで、局部発振器つまり無線信号の周波数帯の電気発振器を用意することなく、中間周波数信号として、入力された電気ディジタル信号のＭ値の信号に対する位相差φ’（＝２φm+1−２φm）が２π／Ｍとなる低周波数帯の電気位相信号を得ることができる。
【００３５】
中間周波数帯信号の電界ＥIFは次式のように表すことができる。
【００３６】
ＥIF∝４Ａ4ｃｏｓ｛２πｆIFｔ＋２φm｝                      ……（１１）
【発明の効果】
【００３７】
以上説明したように、本発明の光送信器により、無線基地局に光信号を送信する広帯域光−無線融合通信システムの無線加入者端末において、無線信号の周波数帯の電気発振器を用意することなく、検波後のＳＮ特性に優れた中間周波数位相変調信号を得ることが可能となる。
【００３８】
これにより、無線加入者端末を安価かつ単純なハードウェア構成にすることが可能となる。
【発明を実施するための最良の形態】
【００３９】
＜実施の形態１＞
本発明の第１の実施の形態について、図５、図６、図７のブロック構成図と、図８の電気周波数及び光周波数のスペクトル図を参照して説明する。
【００４０】
図５は本発明の第１の実施の形態の光送信器１を示すブロック構成図であるが、２は伝送する電気ディジタル信号を入力する入力端子、３は単一スペクトル光源、４は電気発振器６からの出力信号（２ｃ）によって単一スペクトル光源３の出力光（２ｂ）を搬送波抑圧両側波帯光変調する第１の光変調器、５は電気発振器７からの出力信号（２ｅ）を電気位相変調器８で入力電気ディジタル信号（２ａ）を基に位相変調した電気位相変調信号（２ｆ）によって第１の光変調器４の出力光（２ｄ）を搬送波抑圧両側波帯光変調する第２の光変調器である。
【００４１】
この光送信器１において、電気発振器６からの出力信号（２ｃ）がミリ波帯などの無線信号の周波数（ｆRF）の半値に等しい周波数（ｆRF／２）を有する電気搬送波信号となるようにし、さらに、電気発振器７からの出力信号（２ｅ）が任意の中間周波数信号の周波数（ｆIF）の半値に等しい周波数（ｆIF／２）を有する電気搬送波信号となるようにする。また、電気位相変調器８において、入力されたＭ個の値を取り得る電気ディジタル信号ｍ（ｍ＝１，２，…，Ｍ）に対して、電気ディジタル信号（ｍ＋１）に対する出力電気位相変調信号（２ｆ）の位相と、電気ディジタル信号ｍに対する出力電気位相変調信号の位相（２ｆ）との位相差がπ／Ｍとなるように位相変調を施し、第２の光変調器５の出力光変調信号（２ｇ）の占有周波数帯域（Ｂ）が中間周波数信号の周波数（ｆIF）よりも小さくなるようにする。
【００４２】
上記のようにして光送信器１から送信された光信号（２ｇ）は、図６に示す無線基地局９で受信される。
【００４３】
無線基地局９は、光信号（２ｇ）を自乗検波して電気信号に変換する受光素子１０と、この受光素子１０の出力電気信号（２ｈ）であるミリ波帯無線信号を電波として送出するアンテナ１１によって構成される。
【００４４】
光送信器１で、電気発振器６からの出力信号（２ｃ）がミリ波帯などの無線信号周波数（ｆRF）の半値の周波数（ｆRF／２）を有する電気搬送波信号となるようにし、さらに、電気発振器７からの出力信号（２ｅ）が中間周波数信号の周波数（ｆIF）の半値の周波数（ｆIF／２）を有する電気搬送波信号となるようにすることで、無線基地局９において、周波数間隔がそれぞれ中間周波数信号の周波数分（ｆIF）だけ異なり、また、周波数安定性の高い３波のミリ波帯無線信号（２ｈ：ｆRF＋ｆIF，ｆRF，ｆRF−ｆIF）を得ることができる。
【００４５】
図７は本発明の第１の実施の形態の無線加入者端末１２を示すブロック構成図である。無線基地局９から送出されたミリ波帯無線信号（２ｈ）はアンテナ１３により受信された後、ミキサダイオードなどの非線形素子を用いた乗算器１４により自乗検波され、さらにこの乗算器の出力電気信号（２ｉ）をフィルタ１５に通すことで、ミリ波帯の電気発振器を用意することなく、中間周波数帯の電気変調信号（２ｊ）を得ることができる。
【００４６】
また、本発明では、光送信器１において、入力電気ディジタル信号のＭ値の信号に対する位相差φがπ／Ｍとなるように変調されているので、無線加入者端末１２における中間周波数帯信号として、入力電気ディジタル信号のＭ値の信号に対する位相差φ’が２π／Ｍとなるような変調信号（２ｊ）を得ることができ、検波のＳＮ特性が最適となる。
【００４７】
なお、本実施の形態において、電気位相変調器８よりの電気位相変調信号を光変調器４に入力し、電気発振器６よりの電気搬送波信号を光変調器５に入力しても同様な結果が得られる。
【００４８】
＜実施の形態２＞
本発明の第２の実施の形態について、図９、図１０、図１１のブロック構成図と、図１２の電気周波数及び光周波数のスペクトル図を参照して説明する。
【００４９】
図９は本発明の第２の実施の形態の光送信器１８を示すブロック構成図であるが、１９は伝送する電気ディジタル信号を入力する入力端子、２０は単一スペクトル光源、２１は電気発振器２３からの出力信号（３ｃ）によって単一スペクトル光源２０の出力光（３ｂ）を搬送波抑圧両側波帯光変調する第１の光変調器、２２は電気発振器２４からの出力信号（３ｅ）を電気位相変調器２５で入力電気ディジタル信号（３ａ）を基に位相変調した電気位相変調信号（３ｆ）によって第１の光変調器２１の出力光（３ｄ）を搬送波抑圧両側波帯光変調する第２の光変調器である。
【００５０】
この光送信器１８において、電気発振器２３からの出力信号（３ｃ）がミリ波帯などの無線信号の周波数（ｆRF）の半値に等しい周波数（ｆRF／２）を有する電気搬送波信号となるようにし、さらに、電気発振器２４からの出力信号（３ｅ）が無線信号の周波数（ｆRF）と任意の中間周波数信号の周波数（ｆIF）との差（ｆRF−ｆIF）の半値に等しい周波数（（ｆRF−ｆIF）／２）を有する電気搬送波信号となるようにする。また、電気位相変調器２５において、入力されたＭ個の値を取り得る電気ディジタル信号ｍ（ｍ＝１，２，…，Ｍ）に対して、電気ディジタル信号（ｍ＋１）に対する出力電気位相変調信号（３ｆ）の位相と、電気ディジタル信号ｍに対する出力電気位相変調信号（３ｆ）の位相との位相差がπ／Ｍとなるように位相変調を施し、第２の光変調器２２の出力光変調信号（３ｇ）の占有周波数帯域（Ｂ）の半値（Ｂ／２）が中間周波数信号の周波数（ｆIF）よりも小さくなるようにする。
【００５１】
上記のようにして光送信器１８から送信された光信号（３ｇ）は、図１０に示す無線基地局２６で受信される。
【００５２】
無線基地局２６は、光信号（３ｇ）を自乗検波して電気信号に変換する受光素子２７と、この受光素子２７の出力電気信号（３ｈ）であるミリ波帯無線信号を電波として送出するアンテナ２８によって構成される。
【００５３】
光送信器１８で、電気発振器２３からの出力信号（３ｃ）がミリ波帯などの無線信号の周波数（ｆRF）の半値の周波数（ｆRF／２）を有する電気搬送波信号となるようにし、さらに、電気発振器２４からの出力信号（３ｅ）が無線信号の周波数（ｆRF）と任意の中間周波数信号の周波数（ｆIF）との差（ｆRF−ｆIF）の半値の周波数（（ｆRF−ｆIF）／２）を有する電気搬送波信号となるようにすることで、無線基地局２６において、周波数間隔が中間周波数信号の周波数分（ｆIF）だけ異なり、また、周波数安定性の高い２波のミリ波帯無線信号（２ｈ：ｆRF，ｆRF−ｆIF）を得ることができる。
【００５４】
図１１は本発明の第２の実施の形態の無線加入者端末２９を示すブロック構成図である。無線基地局２６から送出されたミリ波帯無線信号（３ｈ）はアンテナ３０により受信された後、ミキサダイオードなどの非線形素子を用いた乗算器３１により自乗検波され、さらにこの乗算器の出力電気信号（３ｉ）をフィルタ３２に通すことで、ミリ波帯の電気発振器を用意することなく、中間周波数帯の電気変調信号（３ｊ）を得ることができる。
【００５５】
また、本発明では、光送信器１８において、入力電気ディジタル信号のＭ値の信号に対する位相差φがπ／Ｍとなるように変調されているので、無線加入者端末２９における中間周波数帯信号として、入力電気ディジタル信号のＭ値の信号に対する位相差φ’が２π／Ｍとなるような変調信号（３ｊ）を得ることができ、検波のＳＮ特性が最適となる。
【００５６】
なお、本実施の形態において、電気位相変調器２５よりの電気位相変調信号を光変調器２１に入力し、電気発振器２３よりの電気搬送波信号を光変調器２２に入力しても同様な結果が得られる。
【００５７】
＜実施の形態３＞
本発明の第３の実施の形態について、図１３、図１４、図１５のブロック構成図と、図１６の電気周波数及び光周波数のスペクトル図を参照して説明する。
【００５８】
図１３は本発明の第３の実施の形態の光送信器３５を示すブロック構成図であるが、３６は伝送する電気ディジタル信号を入力する入力端子、３７は単一スペクトル光源、３８は電気発振器４０からの出力信号（４ｃ）によって単一スペクトル光源３７の出力光（４ｂ）を搬送波抑圧両側波帯光変調する第１の光変調器、３９は電気発振器４１からの出力信号（４ｅ）を電気位相変調器４２で入力電気ディジタル信号（４ａ）を基に位相変調した電気位相変調信号（４ｆ）によって第１の光変調器３８の出力光（４ｄ）を搬送波抑圧両側波帯光変調する第２の光変調器である。
【００５９】
この光送信器３５において、電気発振器４０からの出力信号（４ｃ）がミリ波帯などの無線信号の周波数（ｆRF）と任意の中間周波数信号の周波数（ｆIF）との差（ｆRF−ｆIF）の半値に等しい周波数（（ｆRF−ｆIF）／２）を有する電気搬送波信号となるようにし、さらに、電気発振器４１からの出力信号（４ｅ）が無線信号の周波数（ｆRF）の半値に等しい周波数（ｆRF／２）を有する電気搬送波信号となるようにする。また、電気位相変調器４２において、入力されたＭ個の値を取り得る電気ディジタル信号ｍ（ｍ＝１，２，…，Ｍ）に対して、電気ディジタル信号（ｍ＋１）に対する出力電気位相変調信号（４ｆ）の位相と、電気ディジタル信号ｍに対する出力電気位相変調信号（４ｆ）の位相との位相差がπ／Ｍとなるように位相変調を施し、第２の光変調器３９の出力光変調信号（４ｇ）の占有周波数帯域（Ｂ）の半値（Ｂ／２）が中間周波数信号の周波数（ｆIF）よりも小さくなるようにする。
【００６０】
上記のようにして光送信器３５から送信された光信号（４ｇ）は、図１４に示す無線基地局４３で受信される。
【００６１】
無線基地局４３は、光信号（４ｇ）を自乗検波して電気信号に変換する受光素子４４と、この受光素子４４の出力電気信号（４ｈ）であるミリ波帯無線信号を電波として送出するアンテナ４５によって構成される。
【００６２】
光送信器３５で、電気発振器４０からの出力信号（４ｃ）がミリ波帯などの無線信号の周波数（ｆRF）と中間周波数信号の周波数（ｆIF）との差（ｆRF−ｆIF）の半値の周波数（（ｆRF−ｆIF）／２）を有する電気搬送波信号となるようにし、さらに、電気発振器４１からの出力信号（４ｅ）が無線信号周波数（ｆRF）の半値の周波数（ｆRF／２）を有する電気搬送波信号となるようにすることで、無線基地局４３において、周波数間隔が中間周波数信号の周波数分（ｆIF）だけ異なり、また、周波数安定性の高い２波のミリ波帯無線信号（２ｈ：ｆRF，ｆRF−ｆIF）を得ることができる。
【００６３】
図１５は本発明の第３の実施の形態の無線加入者端末４６を示すブロック構成図である。無線基地局４３から送出されたミリ波帯無線信号（４ｈ）はアンテナ４７により受信された後、ミキサダイオードなどの非裸形素子を用いた乗算器４８により自乗検波され、さらにこの乗算器の出力電気信号（４ｉ）をフィルタ４９に通すことで、ミリ波帯の電気発振器を用意することなく、中間周波数帯の電気変調信号（４ｊ）を得ることができる。
【００６４】
また、本発明では、光送信器において、入力電気ディジタル信号のＭ値の信号に対する位相差φがπ／Ｍとなるように変調されているので、無線加入者端末４６における中間周波数帯信号として、入力電気ディジタル信号のＭ値の信号に対する位相差φ’が２π／Ｍとなるような変調信号（４ｊ）を得ることができ、検波のＳＮ特性が最適となる。
【００６５】
なお、本実施の形態において、電気位相変調器４２よりの電気位相変調信号を光変調器３８に入力し、電気発振器４０よりの電気搬送波信号を光変調器３９に入力しても同様な結果が得られる。
【図面の簡単な説明】
【００６６】
【図１】従来の光送信器の一例を示すブロック構成図
【図２】従来の無線基地局の一例を示すブロック構成図
【図３】従来の無線加入者端末の一例を示すブロック構成図
【図４】従来の光−無線融合通信システムにおける信号スペクトルの一例を示す図
【図５】本発明の第１の実施の形態に係る光送信器を示すブロック構成図
【図６】本発明の第１の実施の形態に係る無線基地局を示すブロック構成図
【図７】本発明の第１の実施の形態に係る無線加入者端末を示すブロック構成図
【図８】本発明の第１の実施の形態における信号スペクトルを示す図
【図９】本発明の第２の実施の形態に係る光送信器を示すブロック構成図
【図１０】本発明の第２の実施の形態に係る無線基地局を示すブロック構成図
【図１１】本発明の第２の実施の形態に係る無線加入者端末を示すブロック構成図
【図１２】本発明の第２の実施の形態における信号スペクトルを示す図
【図１３】本発明の第３の実施の形態に係る光送信器を示すブロック構成図
【図１４】本発明の第３の実施の形態に係る無線基地局を示すブロック構成図
【図１５】本発明の第３の実施の形態に係る無線加入者端末を示すブロック構成図
【図１６】本発明の第３の実施の形態における信号スペクトルを示す図
【符号の説明】
【００６７】
１，１８，３５：光送信器、２，１９，３６：入力端子、３，２０，３７：単一スペクトル光源、４，２１，３８：第１の光変調器、５，２２，３９：第２の光変調器、６，７，２３，２４，４０，４１：電気発振器、８，２５，４２：電気位相変調器、９，２６，４３：無線基地局、１０，２７，４４：受光素子、１１，１３，２８，３０，４５，４７：アンテナ、１２，２９，４６：無線加入者端末、１４，３１，４８：乗算器、１５，３２，４９：フィルタ、１６，３３，５０：検波器、１７，３４，５１：出力端子。
【図１】
2005073065.tif 000003
【図２】
2005073065.tif 000004
【図３】
2005073065.tif 000005
【図４】
2005073065.tif 000006
【図５】
2005073065.tif 000007
【図６】
2005073065.tif 000008
【図７】
2005073065.tif 000009
【図８】
2005073065.tif 000010
【図９】
2005073065.tif 000011
【図１０】
2005073065.tif 000012
【図１１】
2005073065.tif 000013
【図１２】
2005073065.tif 000014
【図１３】
2005073065.tif 000015
【図１４】
2005073065.tif 000016
【図１５】
2005073065.tif 000017
【図１６】
2005073065.tif 000018